(57)【要約】【課題】版胴やブランケット胴の表面のギャップが原因となって発生し、ショック目等の印刷障害の原因となるシリンダの振動を、版やブランケットの形状を工夫することによって抑制する。【解決手段】版１の両端２，３のそれぞれに複数の舌状部４，５を形成し、版１を円筒状に丸めて両端を突き合わせたときにはそれぞれの舌状部４，５が互いに噛み合うように構成する。また、版胴１０の表面には、版１の舌状部４，５の厚さと同等或いは略同等の溝幅を有する一列の溝１１を形成しておく。版１の版胴１０への装着時には、版両端２，３のそれぞれの舌状部４，５を溝１１に差し込んで固定する。【選択図】        図２
2004230792.tif 000002
【特許請求の範囲】
【請求項１】
版の両端のそれぞれに複数の舌状部が形成され、円筒状に丸めて両端を突き合わせたときにはそれぞれの舌状部が互いに噛み合うように構成されていることを特徴とする、版。
【請求項２】
請求項１記載の版が表面に巻き付けられる版胴と、
上記版胴の表面に形成され、上記版の舌状部の厚さと同等或いは略同等の溝幅を有する一列の溝とを備え、
上記版の上記版胴への装着時には、版両端のそれぞれの舌状部が上記溝に差し込まれて固定されることを特徴とする、印刷機。
【請求項３】
請求項１記載の版が表面に巻き付けられる版胴と、
上記版胴の表面に形成された平行な二列の溝とを備え、
上記版の上記版胴への装着時には、版両端のそれぞれの舌状部が上記版胴の表面で噛み合うように、上記それぞれの舌状部は上記二列の溝のうちそれぞれの巻き付け方向において遠方の溝に差し込まれて固定されることを特徴とする、印刷機。
【請求項４】
ブランケットの両端のそれぞれに複数の舌状部が形成され、円筒状に丸めて両端を突き合わせたときにはそれぞれの舌状部が互いに噛み合うように構成されていることを特徴とする、ブランケット。
【請求項５】
請求項４記載のブランケットが表面に巻き付けられるブランケット胴と、
上記ブランケット胴の表面に形成され、上記ブランケットの舌状部の厚さと同等或いは略同等の溝幅を有する一列の溝とを備え、
上記ブランケットの上記ブランケット胴への装着時には、ブランケット両端のそれぞれの舌状部が上記溝に差し込まれて固定されることを特徴とする、印刷機。
【請求項６】
請求項４記載のブランケットが表面に巻き付けられるブランケット胴と、
上記ブランケット胴の表面に形成された平行な二列の溝とを備え、
上記ブランケットの上記シリンダへの装着時には、ブランケット両端のそれぞれの舌状部が上記シリンダの表面で噛み合うように、上記それぞれの舌状部は上記二列の溝のうちそれぞれの巻き付け方向において遠方の溝に差し込まれて固定されることを特徴とする、印刷機。
【発明の詳細な説明】
【０００１】
【発明の属する技術分野】
本発明は、印刷機の版及びブランケットの構造に関する。
【０００２】
【従来の技術】
印刷機は、絵柄を焼き付けられた版にインキを供給し、一旦、版からブランケットにインキを転写した後、ブランケットから紙面へインキを再転写して印刷を行うようになっている。一般に、版及びブランケットはともに平面状であり、それぞれシリンダ（版胴、ブランケット胴）の表面に巻き付けられている。例えば、図７は従来の印刷機（例えば、特許文献１に記載された印刷機）における版の版胴への装着状態を示した図である。図７に示すように、版胴６０の表面には軸方向に延びる溝６１が形成されており、版５１はその両端部５２，５３を溝６１に差し込まれて固定されている。溝６１は版５１の一方の端部５２を引っ掛けることができるとともに、溝６１内には版５１の他方の端部５３を咥える咥え装置６５が設けられている。ここでは図示しないがブランケットについても同様であり、ブランケットはその両端部をブランケット胴に形成された溝に差し込まれて固定されている。なお、ブランケット胴の場合は溝内に咥え装置が二つ設けられており、ブランケットの両端を咥え込むようになっている。
【０００３】
【特許文献１】
特開平６−２７８２６４号公報（第２図）
【０００４】
【発明が解決しようとする課題】
図７に示すように版５１を版胴６０に装着した場合、溝６１に差し込まれた版５１の両端部５２，５３の間にはギャップ６２が形成される。ギャップ６２は版胴６０の軸方向に版胴６０の全長にわたって延び、版胴６０が回転する度に図示しないブランケット胴とのニップを通過する。ギャップ６２がニップを通過すると版胴６０とブランケット胴との間の面圧が瞬間的に低下するため、この面圧の変動によって版胴６０やブランケット胴が振動する。ブランケット胴に関しても同様であり、ブランケットをブランケット胴の表面に装着してその両端部をブランケット胴の溝に差し込んだとき、ブランケットの両端部の間にはギャップが形成され、このギャップが版胴６０とブランケット胴とのニップを通過する際に振動が発生する。版胴６０やブランケット胴の振動は印刷物の印刷品質に影響し、条件によっては、振動によって印刷物の紙面に横縞目（いわゆるショック目）が入るという印刷障害が起きてしまう場合がある。
【０００５】
このような印刷障害の原因となる版胴やブランケット胴の振動を抑制するためには、版胴，ブランケット胴の双方においてギャップの幅を小さくすることが有効である。そして、ギャップの幅は版やブランケットの両端部を差し込む溝の幅によって決まることから、溝の幅をできるかぎり狭く形成することで振動を抑制することができる。図８は版胴とブランケット胴との間の振動変位と溝幅との関係を求めたグラフであるが、このグラフから分かるように、溝幅を小さくすることで振動の変位を小さくすることができる。
【０００６】
しかしながら、特許文献１に開示されたような従来の版やブランケットの装着構造では、溝の幅は、版やブランケットの両端部を差し込む必要から両端部の厚みよりも狭くすることができない。つまり、版やブランケットの厚さをＬとしたとき、溝幅Ｗは２Ｌよりも狭くすることはできない。このため、従来の構造では、ギャップの幅をある限度よりも小さくすることはできず、印刷障害の原因となるシリンダ（版胴、ブランケット胴）の振動の抑制において限界があった。
【０００７】
本発明は、このような課題に鑑み創案されたもので、印刷障害の原因となるシリンダの振動を抑制できるようにした、版及びブランケット並びに印刷機を提供することを目的とする。
【０００８】
【課題を解決するための手段】
かかる目的を達成する為に、本発明の版は、その両端のそれぞれに複数の舌状部が形成され、円筒状に丸めて両端を突き合わせたときにはそれぞれの舌状部が互いに噛み合うように構成されていることを特徴としている。このような版によれば、以下のような特徴的な構造を有する印刷機（本発明の第１の印刷機及び第２の印刷機）に装着することで、印刷障害の原因となるシリンダの振動を抑制することができる。
【０００９】
本発明の第１の印刷機は、版胴の表面に上記版の舌状部の厚さと同等或いは略同等の溝幅を有する一列の溝が形成されており、上記版の版胴への装着時には、版両端のそれぞれの舌状部が上記溝に差し込まれて固定されるようにしている。本発明では、版両端の舌状部は、版を円筒状に丸めて両端を突き合わせたときに互いに噛み合うように構成されているので、版の両端部（舌状部）を版胴の溝内に差し込んだときには溝内で軸方向に噛み合いながら一列に並び、従来のように周方向に重なることがない。したがって、溝幅は舌状部の厚さと同等或いは略同等でよく、最小でも版厚の二倍の溝幅を要していた従来の印刷機に比較して版胴表面のギャップ幅を小さくすることができ、版胴等のシリンダの振動を抑制することができる。
【００１０】
本発明の第２の印刷機は、版胴の表面に平行な二列の溝が形成されており、上記版の版胴への装着時には、版両端のそれぞれの舌状部が版胴の表面で噛み合うように、それぞれの舌状部は上記二列の溝のうちそれぞれの巻き付け方向において遠方の溝に差し込まれて固定されるようにしている。本発明では、版両端の舌状部は、版を円筒状に丸めて両端を突き合わせたときに互いに噛み合うように構成されているので、版を版胴に巻き付けてその両端部（舌状部）を版胴の表面で重ね合わせたときには、版両端の舌状部は軸方向に噛み合いながら一列に並び、版胴の径方向に重なることがない。したがって、版を巻き付けた版胴を軸方向に見たときには、版の両端が軸方向において重なり合うことで版胴表面のギャップは実質的になくなり、版胴等のシリンダの振動を抑制することができる。
【００１１】
また、かかる目的を達成する為に、本発明のブランケットは、その両端のそれぞれに複数の舌状部が形成され、円筒状に丸めて両端を突き合わせたときにはそれぞれの舌状部が互いに噛み合うように構成されていることを特徴としている。このようなブランケットによれば、以下のような特徴的な構造を有する印刷機（本発明の第３の印刷機及び第４の印刷機）に装着することで、印刷障害の原因となるシリンダの振動を抑制することができる。
【００１２】
本発明の第３の印刷機は、ブランケット胴の表面に上記ブランケットの舌状部の厚さと同等或いは略同等の溝幅を有する一列の溝が形成されており、上記ブランケットのブランケット胴への装着時には、ブランケット両端のそれぞれの舌状部が上記溝に差し込まれて固定されるようにしている。本発明では、ブランケット両端の舌状部は、ブランケットを円筒状に丸めて両端を突き合わせたときに互いに噛み合うように構成されているので、ブランケットの両端部（舌状部）をブランケット胴の溝内に差し込んだときには溝内で軸方向に噛み合いながら一列に並び、従来のように周方向に重なることがない。したがって、溝幅は舌状部の厚さと同等或いは略同等でよく、最小でもブランケット厚の二倍の溝幅を要していた従来の印刷機に比較してブランケット胴表面のギャップ幅を小さくすることができ、ブランケット胴等のシリンダの振動を抑制することができる。
【００１３】
本発明の第４の印刷機は、ブランケット胴の表面に平行な二列の溝が形成されており、上記ブランケットのブランケット胴への装着時には、ブランケット両端のそれぞれの舌状部がブランケット胴の表面で噛み合うように、それぞれの舌状部は上記二列の溝のうちそれぞれの巻き付け方向において遠方の溝に差し込まれて固定されるようにしている。本発明では、ブランケット両端の舌状部は、ブランケットを円筒状に丸めて両端を突き合わせたときに互いに噛み合うように構成されているので、ブランケットをブランケット胴に巻き付けてその両端部（舌状部）をブランケット胴の表面で重ね合わせたときには、ブランケット両端の舌状部は軸方向に噛み合いながら一列に並び、ブランケット胴の径方向に重なることがない。したがって、ブランケットを巻き付けたブランケット胴を軸方向に見たときには、ブランケットの両端が軸方向において重なり合うことでブランケット胴表面のギャップは実質的になくなり、ブランケット胴等のシリンダの振動を抑制することができる。
【００１４】
【発明の実施の形態】
以下、図面により、本発明の実施の形態について説明する。
（Ａ）第１実施形態
図１は本発明の第１実施形態にかかる版１の構造を示す概略図であり、図２，図３は図１の版１を版胴１０に装着した状態を示す概略図である。
【００１５】
図１には、版１を丸めて円筒状にしたときの、版１の両端部２，３の係合状態が示されている。版１の両端部２，３には、それぞれ複数のタブ（舌状部）４，５が形成されている。双方のタブ４，５ともに一定の間隔で形成され、両端部２，３を突き合わせたときには、一方の側のタブ４が他方の側のタブ５，５間に入り、且つ、他方の側のタブ５が一方の側のタブ４，４間に入るように、すなわち双方のタブ４，５が互いに噛み合うように各タブ４，５の幅や位置が決められている。
【００１６】
図２，図３に示すように、版胴１０には、軸方向に延びる一列の溝１１が設けられている。溝１１の幅はタブ４，５の厚さと同等の溝幅に設定されている。版胴１０に巻き付けられた版１はその両端のタブ４，５を溝１１内に差し込まれて固定される。なお、溝１１は版１の一方のタブ４を引っ掛けることができるように形成されるともに、溝１１内には版１の他方のタブ５を咥える図示しない咥え装置が設けられている。
【００１７】
タブ４，５は、版１を円筒状に丸めて両端を突き合わせたときに互いに噛み合うようになっているので、版１を版胴１０に巻き付けて両端のタブ４，５を溝１１内に差し込んだときには、タブ４，５は溝１１内で軸方向に噛み合いながら一列に並ぶ。したがって、溝１１の幅は上述のようにタブ４，５の厚さと同等の溝幅でよく、その結果、最小でも版厚の二倍の溝幅を要していた従来の印刷機に比較して、版胴１０の表面のギャップ幅を小さくすることができ、ギャップに起因する版胴１０やブランケット胴の振動を抑制することができる。
以上説明した版１の構造はブランケットの構造にも適用することができ、版１の版胴１０への装着構造はブランケットのブランケット胴への装着構造にも適用することができる。
【００１８】
（Ｂ）第２実施形態
図４，図５は本発明の第２実施形態としてのブランケットのブランケット胴への装着状態を示す概略図である。
【００１９】
図４，図５に示すように、本実施形態にかかるブランケット２１は、第１実施形態にかかる版１（図１参照）と同様、その両端部２２，２３にはそれぞれ複数のタブ（舌状部）２４，２５が形成され、ブランケット２１を丸めて両端を突き合わせたときにはそれぞれのタブ２４，２５が互いに噛み合うようになっている。
【００２０】
ブランケット胴３０には、軸方向に延びる二列の溝３２，３３が設けられている。ブランケット２１のブランケット胴３０への装着時には、一方の端部２２のタブ２４はその巻き付け方向（図４中の時計回り方向）において遠方にある溝３２内に差し込まれて固定される。また、他方の端部２３のタブ２５もその巻き付け方向（図４中の反時計回り方向）において遠方にある溝３３内に差し込まれて固定される。本実施形態にかかる溝３２，３３の溝幅には限定はなく、タブ２４，２５を一枚差し込むことができる溝幅があればよい。なお、各溝３２，３３内には、差し込まれたタブ２５，２４を咥える図示しない咥え装置が設けられている。
【００２１】
タブ２４，２５は、ブランケット２１を円筒状に丸めて両端を突き合わせたときに互いに噛み合うようになっているので、ブランケット２１をブランケット胴３０に巻き付け、上述のように両端のタブ２４，２５を交差するように各溝３２，３３内に差し込んだときには、タブ２４，２５はブランケット胴３０の表面で軸方向に噛み合いながら一列に並ぶ。したがって、ブランケット２１を巻き付けたブランケット胴３０を軸方向に見たときには、ブランケット２１の両端部２２，２３が軸方向において重なり合うことで外見上は略真円となるので、ブランケット胴３０の表面のギャップは実質的になくなり、ギャップに起因するブランケット胴３０や版胴の振動を抑制することができる。
以上説明したブランケット２１のブランケット胴３０への装着構造は版の版胴への装着構造にも適用することができる。
【００２２】
（Ｃ）その他
以上、本発明の実施形態を説明したが、本発明はかかる実施形態に限定されるものではなく、本発明の趣旨を逸脱しない範囲で種々変形して実施することができる。例えば、各実施形態では版やブランケットの両端に形成する舌状部の形状を長方形にしているが、舌状部の形状に限定はない。図６に示すように版（或いはブランケット）４１の両端４２，４３を波形に形成し、波形の山の部分４４，４５を舌状部としてもよい。この場合には、版４１を版胴に装着したときの舌状部４４，４５の付け根への応力集中を回避することができ、耐久性を向上させることができる。
【００２３】
【発明の効果】
以上詳述したように、本発明によれば、版やブランケットを装着した際の版胴やブランケット胴の表面のギャップを最小限にしたり或いは実質的になくしたりすることができるので、印刷障害の原因となる版胴やブランケット胴の振動を抑制することができる。
【図面の簡単な説明】
【図１】本発明の第１実施形態にかかる版の構造を示す概略図である。
【図２】本発明の第１実施形態にかかる版の版胴への装着状態を示す側面図である。
【図３】図２のＩＩＩ方向矢視図である。
【図４】本発明の第２実施形態にかかるブランケットのブランケット胴への装着状態を示す側面図である。
【図５】図４のＶ方向矢視図である。
【図６】本発明の別の実施形態にかかる版の構造を示す概略図である。
【図７】従来の印刷機における版の版胴への装着状態を示した図である。
【図８】版胴とブランケット胴との間の振動変位と溝幅との関係を求めたグラフである。
【符号の説明】
１，４１  版
２，３，４２，４３  版の端部
４，５，４４，４５  版のタブ
１０  版胴
１１  溝
２１  ブランケット
２２，２３  ブランケットの端部
２４，２５  ブランケットのタブ
３０  ブランケット胴
３１  溝
【図１】
2004230792.tif 000003
【図２】
2004230792.tif 000004
【図３】
2004230792.tif 000005
【図４】
2004230792.tif 000006
【図５】
2004230792.tif 000007
【図６】
2004230792.tif 000008
【図７】
2004230792.tif 000009
【図８】
2004230792.tif 000010